(57)【特許請求の範囲】
【請求項１】
グリップ部の外装を形成する外装カバーを備える電子機器であって、
前記電子機器の内部に配置され、動作時に発熱する第１の回路部と、
前記グリップ部において前記外装カバーの内面との間に空間ができるように、前記電子機器の内部に配置される第１の蓄熱部材と、
前記第１の回路部と前記第１の蓄熱部材とを熱接続する第１の伝熱部材と、
前記電子機器の内部に配置され、動作時に発熱する第２の回路部と、
前記グリップ部の反対側において前記電子機器の内部に配置される第２の蓄熱部材と、
前記第２の回路部と前記第２の蓄熱部材とを熱接続する第２の伝熱部材と、を備え、
前記第１の回路部から前記第１の伝熱部材を介して前記第１の蓄熱部材までの第１の熱伝導経路と、前記第２の回路部から前記第２の伝熱部材を介して前記第２の蓄熱部材までの第２の熱伝導経路とは、互いに分離されていることを特徴とする電子機器。
【請求項２】
前記電子機器の内部に配置され、動作時に発熱する第３の回路部と、
前記第３の回路部と前記第２の蓄熱部材とを熱接続する第３の伝熱部材と、を備え、
前記第１の回路部から前記第１の伝熱部材を介して前記第１の蓄熱部材までの第１の熱伝導経路と、前記第３の回路部から前記第３の伝熱部材を介して前記第２の蓄熱部材までの第３の熱伝導経路とは、互いに分離されていることを特徴とする請求項１に記載の電子機器。
【請求項３】
前記グリップ部の反対側における前記外装カバーの内面と前記第２の蓄熱部材との間の距離が、前記グリップ部における前記外装カバーの内面と前記第１の蓄熱部材との間の距離より短いことを特徴とする請求項１または２に記載の電子機器。
【請求項４】
前記グリップ部における前記外装カバーの内面と前記第１の蓄熱部材との間に、前記第１の蓄熱部材より熱伝導率の低い部材が前記外装カバーの内面に当接した状態で配置されることを特徴とする請求項１乃至３のいずれか１項に記載の電子機器。 
【請求項５】
前記熱伝導率の低い部材は、前記第１の蓄熱部材に関して前記電子機器の内部に配置された電池収納部の壁部の一部を構成し、
前記壁部の一部は、前記第１の蓄熱部材に形成されたスリットを挿通して前記外装カバーの内面に向けて突出することを特徴とする請求項４記載の電子機器。
【発明の詳細な説明】
【技術分野】
【０００１】
本発明は、例えば、デジタルカメラやデジタルビデオカメラ等の電子機器に関する。
【背景技術】
【０００２】
デジタルカメラやデジタルビデオカメラ等の撮像装置では、近年の高性能化に伴い、ＣＣＤセンサやＣＭＯＳセンサ等の撮像素子や撮像素子以外の電子部品の発熱量が増えている。そのため、撮像素子や撮像素子以外の電子部品で発生する熱を拡散させて、カメラ内部での温度上昇を抑えることが必要となっている。
【０００３】
そこで、撮像素子や液晶表示部等が取り付けられた取付板を熱伝導片を介して背面側の外装カバーの内面に当接させることで、撮像素子や液晶表示部等で発生した熱を外装カバーから外部に放熱する技術が提案されている（特許文献１）。
【０００４】
また、撮像素子、回路基板及び液晶表示部等が一体に固定された放熱板を正面側及び背面側の外装カバーにねじ等により固定することで、撮像素子、回路基板及び液晶表示部等で発生した熱を外装カバーから外部に放熱する技術が提案されている（特許文献２）。
【先行技術文献】
【特許文献】
【０００５】
【特許文献１】特開２００８−２７１５７１号公報
【特許文献２】特開２００４−１０４６３２号公報
【発明の概要】
【発明が解決しようとする課題】
【０００６】
しかし、上記特許文献１及び２では、いずれも熱源で発生した熱が熱伝導片や放熱板から外装カバーに直接伝導されるため、ユーザが使用時等にカメラ本体、特にグリップ部を手等で把持した際に、ユーザに熱による違和感を与えてしまう。
【０００７】
そこで、本発明は、使用時等に電子機器を手等で把持したユーザに熱による違和感を与えることなく、電子機器の内部の熱源で発生した熱を効率よく拡散させて電子機器の内部での局所的な温度上昇を抑えることができる電子機器を提供することを目的とする。
【課題を解決するための手段】
【０００８】
上記目的を達成するために、本発明の電子機器は、グリップ部の外装を形成する外装カバーを備える電子機器であって、前記電子機器の内部に配置され、動作時に発熱する第１の回路部と、前記グリップ部において前記外装カバーの内面との間に空間ができるように、前記電子機器の内部に配置される第１の蓄熱部材と、前記第１の回路部と前記第１の蓄熱部材とを熱接続する第１の伝熱部材と、前記電子機器の内部に配置され、動作時に発熱する第２の回路部と、前記グリップ部の反対側において前記電子機器の内部に配置される第２の蓄熱部材と、前記第２の回路部と前記第２の蓄熱部材とを熱接続する第２の伝熱部材と、を備え、前記第１の回路部から前記第１の伝熱部材を介して前記第１の蓄熱部材までの第１の熱伝導経路と、前記第２の回路部から前記第２の伝熱部材を介して前記第２の蓄熱部材までの第２の熱伝導経路とは、互いに分離されていることを特徴とする。
【発明の効果】
【０００９】
本発明によれば、使用時等に電子機器を手等で把持したユーザに熱による違和感を与えることなく、電子機器の内部の熱源で発生した熱を効率よく拡散させて電子機器の内部での局所的な温度上昇を抑えることができる。
【図面の簡単な説明】
【００１０】
【図１】本発明の実施形態に係る電子機器としてのデジタルカメラを正面側から見た斜視図である。
【図２】図１に示すデジタルカメラのレンズ鏡筒が撮影位置に繰り出し、ストロボ装置が開いた状態を示す斜視図である。
【図３】図１に示すデジタルカメラを背面側から見た斜視図である。
【図４】図１に示すデジタルカメラから正面側及び背面側の外装カバー、表示部及び操作ボタン群等を取り外した状態を示す斜視図である。
【図５】図４の状態から上面側の外装カバー、レンズ鏡筒、モードダイヤル、ズームダイアル、レリーズボタン、ストロボ装置等を取り外した状態を示す斜視図である。
【図６】図４を背面側から見た斜視図である。
【図７】図５を背面側から見た斜視図である。
【図８】図１に示すデジタルカメラのグリップ部側の断面図である。
【図９】図１に示すデジタルカメラのストロボ装置側の断面図である。
【発明を実施するための形態】
【００１１】
以下、本発明の実施形態の一例を図面を参照して説明する。
【００１２】
図１は本発明の電子機器の実施形態の一例であるデジタルカメラを正面側から見た斜視図、図２は図１に示すデジタルカメラのレンズ鏡筒が撮影位置に繰り出し、ストロボ装置が開いた状態を示す斜視図である。
【００１３】
本実施形態のデジタルカメラは、図１及び図２に示すように、外装カバー２０により本発明の電子機器の一例であるカメラ本体１の外装が形成されており、カメラ本体１の正面側（被写体側）には、レンズ鏡筒２が設けられている。カメラ本体１の正面側から見てレンズ鏡筒２の左側部には、撮影時等にユーザが手等で把持するグリップ部８が配置されている。
【００１４】
カメラ本体１の上面部の略中央部には、風景モード、人物モード、動画モード等、各種撮影モードの切り替えを行うモードダイヤル３が設けられている。また、カメラ本体１の上面部において、モードダイヤル３のグリップ部８側には、レリーズボタン５が設けられ、モードダイヤル３のグリップ部８から離間する側には、ストロボ装置１２が設けられている。レリーズボタン５の周囲には、画角を調整するためのズームダイアル４が設けられている。
【００１５】
図３は、図１に示すデジタルカメラを背面側から見た斜視図である。図３に示すように、カメラ本体１の背面側には、ＬＣＤ等の表示部６が設けられ、ユーザは表示部６を見ることで、撮影時のスルー画像や撮影プレビュー画像、また、再生時の撮影画像等を確認することができる。
【００１６】
また、カメラ本体１のグリップ部８の背面側には、操作ボタン群７が表示部６に隣接して設けられている。操作ボタン群７には、撮影時にストロボ発光モード、ＡＦモード、ドライブモード等の切り替え操作を行うボタンや、再生時に表示部６に表示する撮影画像の送りや画像データの削除等の操作を行うボタン等が配置されている。
【００１７】
図４は、図１に示すデジタルカメラから正面側及び背面側の外装カバー２０、表示部６及び操作ボタン群７等を取り外した状態を示す斜視図である。図５は、図４の状態から上面側の外装カバー２０、レンズ鏡筒２、モードダイヤル３、ズームダイアル４、レリーズボタン５、ストロボ装置１２等を取り外した状態を示す斜視図である。
【００１８】
図４及び図５に示すように、カメラ本体１の内部には、グリップ部８側に熱伝導率の高いアルミニウム製の板材等で形成された蓄熱部材９が配置され、ストロボ装置１２側に同じく熱伝導率の高いアルミニウム製の板材等で形成された蓄熱部材１１が配置されている。ここで、蓄熱部材９は、本発明の第１の蓄熱部材の一例に相当し、蓄熱部材１１は、本発明の第２の蓄熱部材の一例に相当する。
【００１９】
蓄熱部材９の背面側には、メイン基板１７が配置されており、メイン基板１７には、デジタルカメラの駆動時に熱源となる電源回路部１７−１（第１の回路部）が実装されている。電源回路部１７−１には、熱伝導率の高い銅等で形成された伝熱板１０の一端が弾性を有する不図示の熱伝導シートを介して熱接続され、伝熱板１０の他端は、蓄熱部材９に熱接続されている。これにより、電源回路部１７−１で発生した熱は伝熱板１０を介して熱容量の大きい蓄熱部材９に伝導して拡散され、この結果、グリップ部８の内部に配置された電源回路部１７−１での局所的な温度上昇を抑えることができる。ここで、電源回路部１７−１からグリップ８側の蓄熱部材９までの熱伝導経路が第１の熱伝導経路に相当する。
【００２０】
蓄熱部材１１は、レンズ鏡筒２や表示部６等を保持するシャーシの役割を果たす伝熱板１６に一体に固定（熱接続）されており、伝熱板１６は、アルミニウム等の熱伝導率が高い板材で形成されている。伝熱板１６の正面側中央部には、デジタルカメラの駆動時に熱源となるＣＣＤセンサ等の撮像素子１４（第２の回路部）が配置されている。
【００２１】
撮像素子１４は、伝熱板１８に固定されており、伝熱板１８は、弾性を有する不図示の熱伝導シートを介して伝熱板１９に熱接続され、伝熱板１９は、蓄熱部材１１に固定（熱接続）されている。これにより、撮像素子１４で発生した熱は伝熱板１８及び伝熱板１９を介して熱容量の大きい蓄熱部材１１に伝導して拡散され、この結果、撮像素子１４での局所的な温度上昇を抑えることができる。ここで、撮像素子１４から伝熱板１８および１９を介して蓄熱部材１１までの熱伝導経路が、第２の熱伝導経路に相当する。
【００２２】
図６は図４を背面側から見た斜視図、図７は図５を背面側から見た斜視図である。図６及び図７に示すように、メイン基板１７の背面側には、デジタルカメラの駆動時に熱源となるエンジン部１５が実装されている。
【００２３】
エンジン部１５は、弾性を有する不図示の熱伝導シートを介して伝熱板１６に接続されている。これにより、エンジン部１５で発生した熱は、伝熱板１６を介して該伝熱板１６に一体に固定（熱接続）された熱容量の大きい蓄熱部材１１に伝導して拡散され、この結果、エンジン部１５での局所的な温度上昇を抑えることができる。ここで、画像処理部１５から伝熱板１６を介して蓄熱部材１１までの熱伝導経路が、第３の熱伝導経路に相当する。
【００２４】
図８は、図１に示すデジタルカメラのグリップ部８側の断面図である。図８に示すように、蓄熱部材９は、グリップ部８の正面側の外装を形成する外装カバー２０の内面から離れた位置に配置されて、蓄熱部材９と外装カバー２０の内面との間に空間２３が設けられている。これにより、蓄熱部材９に蓄積された高温の熱がグリップ部８の外装に直接伝わらないようになっている。
【００２５】
また、蓄熱部材９とメイン基板１７との間には、デジタルカメラの電源となる電池２１を収納するための電池収納部２２が設けられている。電池収納部２２の壁部は、蓄熱部材９より熱伝導率の低い樹脂等の部材で形成されており、該壁部の一部は、蓄熱部材９に形成されたスリット９ａを挿通して外装カバー２０側に突出し、その突出端が外装カバー２０の内面に当接している。これにより、グリップ部８の外装カバー２０に加わる外力を電池収納部２２の壁部の一部で支持して必要な強度を確保することが可能となる。
【００２６】
図９は、図１に示すデジタルカメラのストロボ装置１２側の断面図である。上述したように、蓄熱部材１１には、撮像素子１４で発生した熱が伝熱板１８，１９を介して伝導され、また、エンジン部１５で発生した熱が伝熱板１６を介して伝導される。
【００２７】
ここで、ストロボ装置１２側の外装は、デジタルカメラの使用時にユーザが触りにくい部分であり、また、発熱量の高いメイン基板１７から離れているため、グリップ部８側ほど高温になりにくい。
【００２８】
このため、本実施形態では、蓄熱部材１１は、カメラ本体１のストロボ装置１２側の側部の外装を形成する外装カバー２０の内面に接触した状態で配置されている。これにより、蓄熱部材１１に蓄熱された熱を外装カバー２０にも伝えることができるので、より効果的に熱を拡散させることができ、また、必要な強度も確保することが可能となる。
【００２９】
更に、本実施形態では、ストロボ装置１２は、撮影時に自動的にポップアップ（開動作）するようになっている。ストロボ装置１２がポップアップした状態でデジタルカメラに落下等による衝撃力が加わると、ストロボ装置１２を開閉自在に収納する空間とカメラ本体１のストロボ装置１２側の側部との間の稜線部２４（図２参照）が変形してしまう場合がある。
【００３０】
この場合、ストロボ装置１２のポップアップ動作が正常に行われなくなる可能性があるため、本実施形態では、稜線部２４の外装内部に蓄熱部材１１を隙間なく配置することで、十分な強度を確保して、落下等による衝撃力で稜線部２４が変形するのを防止している。
【００３１】
以上説明したように、本実施形態では、電源回路部１７−１で発生した熱がグリップ部８側の蓄熱部材９に伝導して拡散され、エンジン部１５及び撮像素子１４で発生した熱がストロボ装置１２側の蓄熱部材１１に伝導して拡散される。これにより、カメラ本体１の内部の熱源で発生した熱を効率よく拡散させてカメラ本体１の内部での局所的な温度上昇を抑えることができる。
【００３２】
又、本実施形態では、電源回路部１７−１からグリップ部８側の蓄熱部材９までの第１の熱伝導経路と、撮像素子１４からストロボ装置１２側の蓄熱部材１１までの第２の熱伝導経路とは互いに分離されている。そして、電源回路部１７−１からグリップ部８側の蓄熱部材９までの第１の熱伝導経路と、画像処理部１５からストロボ装置１２側の蓄熱部材１１までの第３の熱伝導経路とは互いに分離されている。このため、カメラ本体１の内部の熱源で発生した熱をより効果的に拡散させることができる。
【００３３】
更に、本実施形態では、グリップ部８の外装を形成する外装カバー２０と蓄熱部材９との間に空間２３を設けて、蓄熱部材９に蓄積された高温の熱がグリップ部８の外装に直接伝わらないようにしている。これにより、デジタルカメラの使用時等にカメラ本体１のグリップ部８を手等で把持したユーザに対して熱による違和感を与えるのを防止することができる。
【００３４】
なお、本発明の構成は、上記実施形態に例示したものに限定されるものではなく、材質、形状、寸法、形態、数、配置箇所等は、本発明の要旨を逸脱しない範囲において適宜変更可能である。
【００３５】
例えば、上記実施形態では、ストロボ装置１２側の蓄熱部材１１を外装カバー２０の内面に接触させて場合を例示したが、必ずしもこのようにする必要はなく、グリップ部８側の蓄熱部材９と同様に、蓄熱部材１１と外装カバー２０との間に空間を設けてもよい。
【００３６】
この場合、上述したように、ストロボ装置１２側はグリップ部８側ほど高温になりにくいため、蓄熱部材１１と外装カバー２０との間の距離は、グリップ部８側の蓄熱部材９と外装カバー２０との間の距離に比べて短くすることができる。
【符号の説明】
【００３７】
１  カメラ本体
８  グリップ部
９  蓄熱部材
１０  伝熱板
１１  蓄熱部材
１４  撮像素子
１６  伝熱板
１７  メイン基板
１８  伝熱板
１９  伝熱板
【図１】
0005566198.tif 000002
【図２】
0005566198.tif 000003
【図３】
0005566198.tif 000004
【図４】
0005566198.tif 000005
【図５】
0005566198.tif 000006
【図６】
0005566198.tif 000007
【図７】
0005566198.tif 000008
【図８】
0005566198.tif 000009
【図９】
0005566198.tif 000010